(57)【要約】      （修正有）【課題】軽くて装着が容易であり、移動や仕事をしながらでも完全にアンマ効果の発揮できるアンマ器を提供する。【解決手段】モーター３とアンマ部を設置できる外枠１を設け、疾患部が密着できるように外枠１が折れる構造とし、モーターに接続するシャフトに一定間隔を置いて円形のものを固定し、その円形外周に飛び出た形で、外周が丸みの帯びた回転できる構造のしたやや厚みのある円盤を取り付ける構造とし、その下部にも同様の構造のしたものをそれぞれ円盤の位置が異なるように設置したアンマ部本体を数段設け、布等の内部に内蔵してゴム又はバネなどの伸縮物体でしっかりと疾患部へ密着できるよう荷固定し、モーターを回転させることにより、円形外周に設置されている丸みの帯びた円盤が交互回転して疾患部をアンマできる構成とする。【選択図】図１
2007236894.tif 000002
【特許請求の範囲】
モーターとアンマ部を設置できる外枠を設け、疾患部が密着できるように外枠が折れる構造とし、モーターに接続するシャフトに一定の間隔をおいて円形のものを固定し、その固定した円形外周に飛び出た形の、やや厚みのある外周が丸みの帯びて回転できる構造とした円盤を取り付ける構造とし、その下部にも同様の構造のしたものをそれぞれ円盤の位置が異なるように設置したアンマ部本体を数段設け、布などの内部に内臓しゴム又はバネ等の伸縮物体でしっかりと疾患部へ密着できるように固定し、モーターを回転させることにより円形外周に設置されている丸みを帯びた円盤が交互に回転して疾患部をアンマする、軽くて装着が容易であり、移動や仕事をしながらでも完全に疾患部を密着してアンマ効果を発揮できることを特徴とした、バンド型捲き着け自動アンマ器。
【発明の詳細な説明】
本出願人は平成９年１０月２１日ベルト型捲きつけ付け自動アンマ器なるものを出願した（特願平９−３３９２８２）のであるが、ここ数年間試作に何とか完成させようとカエルガ柳に飛びつくように、なんども試みたのであるがクランク式では引例は回転しないことが判明した。
回転しないものでは話にならない、そこで本発明者は何とかいい方法は無いものかと考えた結果、クランク式で無い全く違う原理で、モーターの回転力を利用したものであって、本発明は本出願人が実際試作品を完成させて効果は充分実証済みである。
まず図１の正面図で示すように（１）の外枠を設け（２）の蝶番を取り付け体に密着するように（１）の外枠が容易に折れる構造とする、次に外枠それぞれの中心部に（３）のモーターを取り付け、（７）のカップリングでシャフトを連結し（５）の固定円盤を取り付けその固定円盤の外周に固定円盤より、はみ出ている（６）の回転円盤を設ける、この回転円盤は按摩器の心臓部であるからやや厚みのある外形が丸みの帯びているものやゴム等又はこれに類するものが望ましい、このような固定円盤と回転円盤を組み合わせたものを図１で示すように交互になるように設置した按摩器本体を図２で示すように（９）のチョッキ等の腰部辺りに（１１）の按摩器を内蔵した（８）の袖なしを着て（９）の伸縮物であるゴム又はバネで（８）の袖なしを完全に体と密着させて（３）のモーターを回転させれば（４）のシャフトに連動して（５）の固定円盤と（６）の回転円盤は容易に回転し、（６）の回転円盤は突起しているため疾患部を交互にアンマをすることとなる。
（３）のモーターは回転数の増減はボリュウム操作で調整できることは言うまでも無い。
図２は（４）のシャフトに（５）の固定円盤に（６）の回転軸と（４）の回転軸を設置した平面図である。
図３はアンマ器本体を（９）の袖なしに内蔵した正面図であり、図４は本発明のアンマ器を着用して主婦が鼻歌を歌いながら掃除に精を出している斜視図。
【図面の簡単な説明】
【図１】はアンマ器本体正面図
【図２】は固定円盤、回転円を組み合わせた平面図
【図３】はバンド型捲き着付け自動アンマ器を袖なしに内蔵した正面図
【図４】は本発明を主婦が着用している斜視図
【符号の説明】
（１）は外枠、（２）は蝶番、（３）はモーター、（４）はシャフト、（５）は固定円盤、（６）は回転円盤、（７）はカップリング、（８）は回転軸、（９）は袖なし、（１０）はゴム又はバネ、（１１）はアンマ器本体  （１２）は電源
【図１】
2007236894.tif 000003
【図２】
2007236894.tif 000004
【図３】
2007236894.tif 000005
【図４】
2007236894.tif 000006
【手続補正書】
【提出日】平成19年1月19日(2007.1.19)
【手続補正１】
【補正対象書類名】明細書
【補正対象項目名】全文
【補正方法】変更
【補正の内容】
【発明の詳細な説明】
本出願人は平成９年１０月２１日ベルト型捲き付け自動アンマ器なるものを出願した（特願平９−３３９２８２）である、この数年間このクランク式の按摩器を何とか完成させようと試作を何度も試みたのであるが、クランク式では回転しないことが判明した。回転しないものでは話にならないし発明として出願する資格も無い、この件については特許庁に大変迷惑をかけたことを反省している。
しかし本出願人は、上記の試作に苦労をしたお陰で全く違う原理である円盤式で疾患部を按摩する小型按摩器なる全く新規の発明に漕ぎ付けたので、ここに発表するものである。
本出願人は、この新規である円盤式の原理で試作品を完成させて、何度もその身体疾患部にしっかりと捲き付けて按摩するアンマ器の効果は抜群であることは実証済みなのであります。
次に１例を挙げて図面を参照しながらバンド型身体捲き付け自動アンマ器の操作方法を説明する。
まず図１の正面図で出示すように（１）の外枠を設け（２）の蝶番を取り付け体に密着するように（１）の外枠が容易に折れる構造とする、次に外枠のそれぞれの中心部に（３）のモーターを各々取り付け（７）のカップリングでシャフトとを連結し（５）の固定円盤を取り付け、その固定円盤の外周に固定円盤よりはみだしている（６）の回転円盤を設ける、この回転円盤はやや厚みのある外形が丸みを帯びている構造が良い、このように固定円盤と回転円盤を組み合わせたものを図１で示すように按摩器本体を身体の腰部辺りに使用する場合であれば（９）のチョッキ等を用いた場合に（１１）の按摩器を内蔵して（１０）の伸縮物で腰の両サイドの疾患部はしっかりと固定する、身体に捲き付けるバンド帯は（１０）の伸縮物の作用により確実にしっかりと疾患部に密着すれば良いのであって、どのようなバンド帯にしてもその疾患部へのアンマ効果にはなんら変わりは無い、次に（３）のモーターを回転させれば（４）のシャフトに連動して（５）の固定円盤と（６）の回転円盤は突起しているため疾患部を両サイドから交互に疾患部を心地よくアンマをすることになる。
なお疾患部の身体に捲き付けるバンド帯は腰、肩、足、手、等と異なるので用途に合わせた捲き付けバンド帯にすればより多目的で都合が良い
又モーターは電気式でも充電式でも良いがモーターの回転数の増減調整が出来る構造とする。
【図面の簡単な説明】
【図１】はバンド型身体捲き付け自動アンマ器本体正面図
【図２】は固定円盤、回転円盤を組み合わせた平面図
【図３】はバンド型身体捲き付け自動アンマ器を袖なしに内蔵した場合の正面図
【図４】はバンド型身体捲き付け自動アンマ器を主婦が着用している斜視図
【符号の説明】
（１）外枠（２）蝶番（３）モーター（４）シャフト（５）固定円盤（６）回転円盤（１７）カップリング（８）回転軸（９）袖なし（１０）伸縮物（１１）アンマ器本体）（１２）電源
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
身体に捲き付ける構造のしたバンド帯内部にモーターと駆動部を設置できる外枠にモーターと円盤状の回転体を取り付けた駆動部を内蔵した、バンド帯を疾患部に捲き付けて、モーターを稼動させれば円盤状の回転体が連動して、バンド帯内部で凸凹運動を繰り返して振動を与え按摩をすることを特徴した「バンド型身体捲き付け自動アンマ器」
【手続補正２】
【補正対象書類名】明細書
【補正対象項目名】全文
【補正方法】変更
【補正の内容】
【発明の詳細な説明】
本出願人は平成９年１０月２１日クランク式のベルト型捲き付け自動アンマ器なるものを出願し（特願平９−３３９２８２）、この数年間この按摩器を回転させるべき試作を何度も試みたのであるがクランク式では負荷がかかり過ぎてモーター回転はしないことが判明した。回転しないものでは話にならないし発明として出願する資格などは無い、この経緯ついては特許庁に大変迷惑をかけたことを反省している。しかし本出願人は上記の試作を苦労したお陰で違う原理の円盤式で疾患部を按摩する全く新規の発明に漕ぎ着けたのである。本出願人はこの新規なる円盤式の原理で試作品を完成させて何度も身体疾患部に捲き付けて按摩をする按摩器の効果は抜群であることは実証済みである。振動方式はモーターと駆動部が一つの一体型でも良いが、按摩効果を高める見地からモーターと駆動部を二つ用いた二対型の場合を１例を上げて図面を参照しながら操作方法を説明する。図１の正面図で示すように（１）の外枠を設け（２）の蝶版を取り付け身体に密着するように（１）の外枠が容易に折れる構造とし外枠の中心部に（３）のモーターを各々取り付け（７）のカップリングでシャフトと連結し（５）の固定円盤を取り付け、その固定円盤の外周に固定円盤よりはみだしている（６）の回転円盤を設ける、このように固定円盤と回転円盤を組み合わせた駆動部をバンド帯に内臓してモーターを稼動させれば（６）の回転円盤は楕円を描いて凸凹に振動する、あるいは（６）の回転円盤を撤去し（５）の固定円盤の穴を中心部ではなく片方の位置に外してシャフト穴を貫通して（５）の固定円盤を（４）のシャフトに固定させれば（５）の固定円盤穴は中心センターより外れて設置されており（４）のシャフトを中心に（５）の固定円盤は楕円形に回転することになるから凸凹運動を繰り返すことになる（図示せず）（９）はバンド帯をチョッキにした場合（１１）按摩器本体を内蔵し身体に密着させて（３）のモーターを稼動させれば円盤状の駆動部は連動して回転し疾患部を凸凹運動を繰り返すので按摩することになる。電源部のモーターは電気式、充電式のどちらでも良いが回転数の増減並びに身体に巻きつけるバンド帯は長短調整の構造にする。
【図面の簡単な説明】
【図１】は本体正面図
【図２】は固定円盤と回転円盤を組み合わせた平面図
【図３】は袖なしのバンド帯に按摩器本体を内蔵した場合の正面図
【図４】は主婦が本発明の按摩器着用して鼻歌を歌っている斜視図
【符号の説明】
（１）外枠（２）蝶版（３）モーター（４）シャフト（５）固定円盤（６）回転円盤（７）カップリング（８）回転軸（９）袖なしのバンド帯（１０）バンド帯調整装置（１１）按摩器本体（１２）電源